(57)【特許請求の範囲】
【請求項１】
カードスロットに挿入して用いるもので、前記カードスロットに挿入した状態で該カードスロット内に位置する挿入部と、前記カードスロットから突出する突出部とからなるＰＣカードにおいて、
前記ＰＣカードに内蔵された電子基板を前記挿入部と前記突出部との間を境に分割するとともに、前記挿入部側の電子基板と前記突出部側の電子基板とをフレシキブルに接続し、
前記挿入部と前記突出部とを弾性部材によって連設し、
剛性部材によって形成された連結材および該連結材の揺動端を付勢する内蔵バネからなる補助連結部材を内蔵し、
前記挿入部が前記カードスロット内に挿入されていなければ前記内蔵バネの付勢によって前記連結材が前記弾性部材を跨いで前記挿入部と前記突出部とを連結し、前記挿入部を前記カードスロットへ挿入すると前記連結材の揺動によって前記挿入部と前記突出部との連結状態が解除するように構成された
ことを特徴とするＰＣカード。
【発明の詳細な説明】
【０００１】
【発明の属する技術分野】
本発明は、エクステンデッドタイプのＰＣカードに関するものである。
【０００２】
【従来の技術】
近年、ノートパソコン等の携帯用情報機器の普及に伴い、その情報機器の機能を拡張するためのＰＣカードが広く利用されるようになっている。ＰＣカードは、ＰＣＭＣＩＡ（ｐｅｒｓｏｎａｌ  ｃｏｍｐｕｔｅｒ  ｍｅｍｏｒｙ  ｃａｒｄ  ｉｎｔｅｒｎａｔｉｏｎａｌ  ａｓｓｏｃｉａｔｉｏｎ  ）及び日本電子工業振興協会（ＪＥＩＤＡ）で規格化されたものであり、情報機器に設けられたカードスロットに挿入して用いることによって、その情報機器にメモリ機能や通信機能等を追加するものである。
【０００３】
このようなＰＣカードには、エクステンデッドタイプと呼ばれるものがある。エクステンデッドタイプのＰＣカードは、図１２及び図１３に示すように、ノートパソコン等の情報機器２０のカードスロット２１に挿入した際に、その一部が、カードスロット２１から突出するように構成されたものである。すなわち、エクステンデッドタイプのＰＣカード１０は、カードスロット２１に挿入した状態でそのカードスロット２１内に位置する挿入部１１と、そのカードスロット２１から突出する突出部１２とからなるものである。
【０００４】
また、エクステンデッドタイプのＰＣカード１０は、通常、外装がアクリルニトリル・ブタジエン・スチレン（ＡＢＳ）樹脂等によって成形されているが、その内部、すなわち挿入部１１及び突出部１２の内部に、所定機能（例えば、メモリ機能や通信機能）を有する１枚の電子基板１３を備えている。そして、ＰＣカード１０をカードスロット２１に挿入すると、その電子基板１３が、挿入部１１の端部に設けられた図示しないコネクタによって情報機器２０と電気的に接続されるようになっている。
これにより、情報機器２０では、ＰＣカード１０の挿入によって、その機能が拡張される。
【０００５】
【発明が解決しようとする課題】
ところで、上述したエクステンデッドタイプのＰＣカード１０は、カードスロット２１に挿入した状態で、突出部１２がカードスロット２１から突出するようになっている。したがって、不可抗力等により、突出部１２にカード厚方向（図中Ａ方向）の衝撃や負荷等が加わると、挿入部１１と突出部１２との境界部分に応力が集中し、ＰＣカード１０内の電子基板１３に撓みが発生してしまう。そして、この場合には、その撓みによって、電子基板１３の搭載部品の半田付け部にクラック等が生じてしまう可能性が高くなってしまう。
【０００６】
このように、突出部１２への衝撃や負荷等により、電子基板１３の搭載部品の半田付け部にクラック等が生じてしまうと、情報機器２０では、そのＰＣカード１０をカードスロット２１に挿入しても、情報機器２０の機能を拡張することができなくなってしまう。例えば、電子基板１３がメモリ機能を有している場合には、突出部１２への衝撃や負荷等によって、一旦記憶した情報が取り出せなくなってしまうといったことも考えられる。
つまり、従来のエクステンデッドタイプのＰＣカード１０は、突出部１２に加わる衝撃や負荷等に対する考慮が一切なされていない。
【０００７】
そこで、本発明は、エクステンデッドタイプのＰＣカードにおいて、カードスロットからの突出部分に加わる衝撃や負荷等を考慮して、その突出部分に衝撃や負荷等が加わった場合であっても、内蔵する電子基板に影響を与えることのないＰＣカードを提供することを目的とする。
【０００８】
【課題を解決するための手段】
本発明は、上記目的を達成するために案出されたＰＣカードで、カードスロットに挿入して用いるもので、前記カードスロットに挿入した状態でそのカードスロット内に位置する挿入部と、前記カードスロットから突出する突出部とからなるＰＣカードにおいて、前記ＰＣカードに内蔵された電子基板を前記挿入部と前記突出部との間を境に分割し、前記挿入部側の電子基板と前記突出部側の電子基板とをフレシキブルに接続し、前記挿入部と前記突出部とを弾性部材によって連設し、剛性部材によって形成された連結材および該連結材の揺動端を付勢する内蔵バネからなる補助連結部材を内蔵し、前記挿入部が前記カードスロット内に挿入されていなければ前記内蔵バネの付勢によって前記連結材が前記弾性部材を跨いで前記挿入部と前記突出部とを連結し、前記挿入部を前記カードスロットへ挿入すると前記連結材の揺動によって前記挿入部と前記突出部との連結状態が解除するように構成されたことを特徴とするものである。
【０００９】
上記構成のＰＣカードによれば、電子基板を挿入部と突出部との間を境に分割し、分割した電子基板の間をフレシキブルに接続しているので、そのＰＣカードをカードスロットに挿入した状態で突出部に衝撃や負荷等が加わり、挿入部と突出部との境界部分に応力が集中しても、その応力集中がフレシキブルな接続によって吸収され、電子基板に撓みが発生することがない。また、挿入部と突出部とが弾性部材によって連設されており、しかも挿入部をカードスロットに挿入していない状態では連結材が挿入部と突出部とを連結するが、挿入部をカードスロット内に挿入すると連結材が挿入部と突出部との連結を解除するようになっているので、ＰＣカードをカードスロットに挿入した状態で衝撃や負荷等が突出部に加わった場合であっても、これを弾性部材によって吸収することができる。
【００１０】
【発明の実施の形態】
以下、図面に基づき本発明に係わるＰＣカードについて説明する。
【００１１】
〔第１の実施の形態〕
ここでは、ＰＣカードの基本的な構成について説明する。
図１に示すように、ここで説明するＰＣカード１０ａは、従来のもの（図１２及び図１３参照）と同様に、挿入部１１と、突出部１２とからなる、エクステンデッドタイプのものである。
【００１２】
ただし、このＰＣカード１０ａでは、従来のものと異なり、内蔵する電子基板が、挿入部１１と突出部１２との間の境界部分を境に、２つの基板１３ａ、１３ｂに分割されている。さらに、このＰＣカード１０ａでは、挿入部１１側の基板１３ａと突出部１２側の基板１３ｂとが、フラットケーブル１４で接続されている。つまり、基板１３ａと基板１３ｂとは、フラットケーブル１４によって、フレキシブルに接続されている。
【００１３】
このように構成されたＰＣカード１０ａも、従来のものと同様に、ノートパソコン等の情報機器２０のカードスロット２１に挿入して用いるので、ＰＣカード１０ａをカードスロット２１に挿入した状態で、突出部１２にカード厚方向（図中Ａ方向）の衝撃や負荷等が加わると、挿入部１１と突出部１２との境界部分に応力集中が発生する。
しかしながら、このＰＣカード１０ａでは、挿入部１１と突出部１２との間を境に内蔵基板１３ａ、１３ｂが２つに分割され、しかもこれらの間がフラットケーブル１４で接続されているので、挿入部１１と突出部１２との境界部分に応力集中が発生しても、その応力集中がフラットケーブル１４によって吸収され、各基板１３ａ、１３ｂに撓みが発生することがない。
【００１４】
したがって、このＰＣカード１０ａでは、カードスロット２１に挿入した状態で突出部１２に衝撃や負荷等が加わっても、各基板１３ａ、１３ｂに撓みが発生することがなく、各基板１３ａ、１３ｂの搭載部品の半田付け部にクラック等が生じてしまうこともない。これにより、例えばＰＣカード１０ａの外装面に白化やクラックが生じるレベルの衝撃や負荷等が突出部１２に加わっても、各基板１３ａ、１３ｂの機能、すなわちこのＰＣカード１０ａの機能が損なわれてしまうことがなく、情報機器２０に対する機能拡張を実現することができる。
【００１５】
〔第２の実施の形態〕
次に、ＰＣカードの他の構成例について説明する。ただし、ここでは、上述した第１の実施の形態との相違点についてのみ説明する。
図２に示すように、ここで説明するＰＣカード１０ｂは、挿入部１１と突出部１２との間に、ヒンジ部１５が設けられているものである。
【００１６】
ヒンジ部１５は、挿入部１１と突出部１２とのそれぞれに設けられた軸受部と、これら軸受部に嵌入される回転軸とからなるものであり、突出部１２を挿入部１１に対してカード厚方向（図中Ｂ方向）に揺動可能にするためのものである。ただし、ヒンジ部１５では、カード厚方向に一定以上の衝撃や負荷が加わった場合にのみ突出部１２を揺動させるようになっており、その他の場合においては、挿入部１１と突出部１２とを所定の状態（例えば水平に連なる状態）に保持するようになっている。これは、軸受部と回転軸とのはめあい精度の調整により実現すればよい。
【００１７】
このような構成のＰＣカード１０ｂでは、カードスロット２１に挿入した状態で、ある一定以上のカード厚方向（図中Ａ方向）の衝撃や負荷等が突出部１２に加わると、突出部１２がヒンジ部１５の回転軸を中心にして揺動することで、挿入部１１と突出部１２との間の応力を吸収する。
したがって、このＰＣカード１０ｂでは、カードスロット２１に挿入した状態で突出部１２に衝撃や負荷等が加わっても、ＰＣカード１０ｂの機能が損なわれることがなく、しかもＰＣカード１０ｂの外装面、すなわちＰＣカード１０ｂ本体自身が破損してしまうこともない。
【００１８】
〔第３の実施の形態〕
次に、ＰＣカードのさらに他の構成例について説明する。ただし、ここでは、上述した第２の実施の形態との相違点についてのみ説明する。
図３に示すように、ここで説明するＰＣカード１０ｃは、突出部１２内の基板１３ｂが無線基板からなるものであり、さらには、挿入部１１と突出部１２との間のヒンジ部１５がラッチ機構を有しているものである。
【００１９】
無線基板とは、アンテナ、変調器、増幅器などを搭載しているもので、無線電波を介したデータ通信を行うためのものである。
また、ラッチ機構とは、突出部１２を任意の揺動角度で固定するためのものである。このようなラッチ機構を有することにより、ＰＣカード１０ｃでは、挿入部１１と突出部１２との保持状態を、手動によって、突出部１２の揺動方向（図中Ｃ方向）で数段階に変更できるようになっている。なお、ラッチ機構自体は、周知技術であるため、ここではその詳細な説明を省略する。
【００２０】
このような構成のＰＣカード１０ｃをカードスロット２１に挿入すると、情報機器２０は、無線電波を介したデータ通信を行うことが可能になる。
ところで、一般に、無線電波の電波状態は、場所によって異なるものである。つまり、無線電波によるデータ通信を行う場合に、場所によってはアンテナ感度が悪くなってしまうことがある。
【００２１】
しかしながら、このＰＣカード１０ｃを用いれば、無線基板を内蔵した突出部１２の揺動角度を任意に固定できるので、突出部１２をアンテナ感度の最も良い角度に固定した状態でデータ通信を行うことが可能になり、結果として確実なデータの送受信を行うことができるようになる。
したがって、このＰＣカード１０ｃでは、衝撃や負荷等による機能の損傷や本体の破損が生じることがないのに加えて、無線電波によるデータ通信を行う際に用いて好適であるという利点が得られる。
【００２２】
〔第４の実施の形態〕
上述した第３の実施の形態では、突出部１２の揺動角度を可変させることによりアンテナ感度を向上させる例について説明したが、さらに突出部１２の固定位置に自由度を与えると、アンテナ感度を向上させるのに非常に有効である。
ここで、無線電波によるデータ通信を行う際に用いてさらに好適であるＰＣカードについて説明する。
【００２３】
本実施の形態のＰＣカードは、図４に示すように、挿入部１１と突出部１２とが着脱自在に構成されたものである。これは、挿入部１１と突出部１２との間に設けられた図示しない接続機構（例えば、挿入部１１と突出部１２との嵌合機構）によって実現される。また、挿入部１１と突出部１２との間には、一対のコネクタ１６ａ、１６ｂが設けられており、挿入部１１と突出部１２とが一体に接続している状態で、これらのコネクタ１６ａ、１６ｂが互いに嵌合するようになっている。この嵌合によって、挿入部１１内の基板１３ａと突出部１２内の基板１３ｂとは、電気的に接続される。なお、各コネクタ１６ａ、１６ｂをフローティングマウントすれば、各基板１３ａ、１３ｂの間は、フレキシブルに接続されることとなる。
【００２４】
ただし、このＰＣカード１０ｄでは、図５に示すように、挿入部１１と突出部１２とが分離している状態において、一対のコネクタ１６ａ、１６ｂが
接続ケーブル１６ｃ（例えば、スパイラルケーブル）によって接続されるようになっている。つまり、挿入部１１と突出部１２との分離時には、基板１３ａ、１３ｂが、接続ケーブル１６ｃによって電気的に接続される。
また、このＰＣカード１０ｄでは、図６に示すように、突出部１２に、この突出部１２を情報機器２０上、例えばディスプレイ近傍に係止するためのフック部１６ｄが設けられている。
【００２５】
このような構成のＰＣカード１０ｄでは、挿入部１１と突出部１２とが一体に接続している状態でも使用可能であるが、アンテナ感度を向上させるためには、無線基板を内蔵した突出部１２を挿入部１１から分離し、これらの間を接続ケーブル１６ｃによって接続する。そして、突出部１２に設けられたフック部１６ｄを用いて、この突出部１２を、情報機器２０のディスプレイ近傍等で、アンテナ感度の良好な位置に係止する。
【００２６】
これにより、このＰＣカード１０ｄでは、突出部１２の固定位置の自由度が増加するので、アンテナ感度を向上させるのに非常に有効であり、無線電波によるデータ通信に対してより一層好適なものとなる。さらに、このＰＣカード１０ｄでは、突出部１２を挿入部１１から分離して任意の位置に係止できるので、その状態においては突出部１２がカードスロット２１から突出してしまうことがなく、突出部１２が衝撃や負荷等を受ける可能性も低くなる。
【００２７】
〔第５の実施の形態〕
次に、ＰＣカードのさらに他の構成例について説明する。ただし、ここでは、上述した第１の実施の形態との相違点についてのみ説明する。
図７に示すように、ここで説明するＰＣカード１０ｅは、挿入部１１と突出部１２とが弾性部材１７によって連設されているものである。つまり、このＰＣカード１０ｅは、挿入部１１と突出部１２との外装（筐体）がＡＢＳ樹脂等の一般成形樹脂によって成形されており、挿入部１１と突出部１２との間の境界部分が弾性部材１７によって成形されているものである。
【００２８】
弾性部材１７としては、例えばエラストマーがある。エラストマーは、常温でゴム状弾性を有する高分子材料であり、弱い応力が加わると変形したのちその応力を取り除くとほぼ元の寸法及び形状に戻るものである。このようなエラストマーとしては、具体的には天然ゴム、各種の合成ゴム、再生ゴム、あるいはアクリル系樹脂などがある。
なお、挿入部１１と突出部１２との間の弾性部材１７は、その形状が蛇腹状に成形されたものであってもよい。
【００２９】
このように構成されたＰＣカード１０ｅでは、カードスロット２１に挿入した状態で、カード厚方向（図中Ａ方向）の衝撃や負荷等が突出部１２に加わると、挿入部１１と突出部１２との間の弾性部材１７が、その衝撃や負荷等による応力集中を吸収する。さらに、このＰＣカード１０ｅでは、カード厚方向と直交する方向、すなわちカード幅方向（図中Ｄ方向）の衝撃や負荷等が突出部１２に加わった場合であっても、弾性部材１７がその衝撃や負荷等による応力集中を吸収する。
したがって、このＰＣカード１０ｅでは、カードスロット２１に挿入した状態で、突出部１２にどの方向から衝撃や負荷等が加わっても、ＰＣカード１０ｅの機能が損なわれることがなく、しかもＰＣカード１０ｅ本体自身が破損してしまうこともない。
【００３０】
〔第６の実施の形態〕
次に、ＰＣカードのさらに他の構成例について説明する。ただし、ここでは、上述した第５の実施の形態との相違点についてのみ説明する。
図８に示すように、ここで説明するＰＣカード１０ｆは、挿入部１１と突出部１２とが、弾性部材１７を跨いで架設された補助連結部材１８によって連結されているものである。
【００３１】
補助連結部材１８は、コ字状に形成された金属棒等の剛性部材からなるものであり、コ字状における立ち上がり部が挿入部１１及び突出部１２の側部に設けられた開口と嵌合することにより、挿入部１１と突出部１２とをＰＣカード１０ｆの挿入方向に連結するものである。なお、補助連結部材１８は、弾性部材１７のカード厚方向（図中Ａ方向）、すなわち上下方向の変形に対しては追従できるようになっている。
【００３２】
このように構成されたＰＣカード１０ｆでは、突出部１２にカード厚方向（図中Ａ方向）の衝撃や負荷等が加わると、挿入部１１と突出部１２との間の弾性部材１７がその衝撃や負荷等による応力集中を吸収するとともに、補助連結部材１８がその上下方向の変形に対して追従する。
【００３３】
また、このＰＣカード１０ｆのカードスロット２１からの取り出しは、通常、情報機器２０に設けられたイジェクトボタン２２の押下によって行うが、このとき、突出部１２が乱雑に引っ張られても、補助連結部材１８が挿入部１１と突出部１２とを連結しているので、弾性部材１７が必要以上に伸びたり変形したりすることがない。これは、ＰＣカード１０ｆをカードスロット２１に挿入する場合についても同様である。
【００３４】
したがって、このＰＣカード１０ｆでは、カードスロット２１に挿入した状態で突出部１２に衝撃や負荷等が加わっても、ＰＣカード１０ｆの機能が損なわれたり、ＰＣカード１０ｆ本体自身が破損してしまうことがない。さらには、補助連結部材１８が挿入部１１と突出部１２とを連結しているので、ＰＣカード１０ｆ挿入時あるいは抜去時における扱いが乱雑であっても、弾性部材１７の変形や破損を防ぐことができる。
【００３５】
なお、ここでは、補助連結部材１８が挿入部１１と突出部１２とを連結している場合について説明したが、例えば図９に示すように、突出部１２と補助連結部材１８との嵌合箇所を中心にして（図中Ｅ方向）、補助連結部材１８を回動可能に構成してもよい。つまり、補助連結部材１８の位置を変更することによって、挿入部１１と突出部１２とを連結するか、あるいは非連結状態にするかを選択できるようにしてもよい。このようにすれば、ＰＣカード１０ｆをカードスロット２１に挿入した状態では弾性部材１７による柔軟性を、またＰＣカード１０ｆの挿脱時には補助連結部材１８による剛性を得ることができるようになり、ＰＣカード１０ｆ本体あるいは機能の保護により一層有効となる。
【００３６】
〔第７の実施の形態〕
次に、本発明に係わるＰＣカードについて説明する。ただし、ここでは、上述した第６の実施の形態との相違点についてのみ説明する。
本実施の形態のＰＣカード１０ｇは、図１０（ａ）及び（ｂ）に示すように、補助連結部材１８が、一対の連結材１８ａと内蔵バネ１８ｂとからなるものであり、さらには一対の連結材１８ａ及び内蔵バネ１８ｂがＰＣカード１０ｇに内蔵されているものである。
【００３７】
一対の連結材１８ａは、それぞれ、金属や高剛性樹脂部材等からなるものであり、弾性部材１７を跨いで挿入部１１と突出部１２とを連結するためのものである。そのために、各連結材１８ａは、挿入部１１側の端部近傍がこの挿入部１１に枢支されており、さらに他端側に突出部１２内のリブ１２ａと係合する先端ストッパー１８ｃが設けられている。また、挿入部１１側端の一部には、ＰＣカード１０ｇの側部外面から突出するプッシュボタン１８ｄが設けられている。よって、各連結材１８ａでは、プッシュボタン１８ｄが押される（図中Ｆ方向）と、挿入部１１による枢支点を中心にして、先端ストッパー１８ｃ側の端が、カード幅方向（図中Ｇ方向）に揺動するようになっている。
【００３８】
内蔵バネ１８ｂは、板バネやトーションバネ等からなるものであり、カード幅方向に揺動する各連結材１８ａを、ＰＣカード１０ｇの外側方向へ付勢するものである。つまり、内蔵バネ１８ｂは、各連結材１８ａを付勢することにより、これらに設けられたプッシュボタン１８ｄを、ＰＣカード１０ｆの側部外面から突出させるものである。
【００３９】
このように構成されたＰＣカード１０ｇでは、カードスロット２１に挿入されていなければ、内蔵バネ１８ｂの付勢によって、各連結材１８ａの先端ストッパー１８ｃが突出部１２内のリブ１２ａと係合する。つまり、各連結材１８ａが弾性部材１７を跨いで挿入部１１と突出部１２とを連結する。これにより、挿入部１１と突出部１２とは、上下左右方向、すなわちカード厚方向とカード幅方向とに対する剛性を得るようになる。
【００４０】
一方、図１１に示すように、このＰＣカード１０ｇをカードスロット２１に挿入すると、プッシュボタン１８ｄは、カードスロット２１の側壁部２１ａによってＰＣカード１０ｇ内へ押し込まれる。プッシュボタン１８ｄが押されると、連結材１８ａの揺動によって、先端ストッパー１８ｃが突出部１２内のリブ１２ａから離脱する。これにより、挿入部１１と突出部１２との間では、連結材１８ａによる連結状態が解除される。
したがって、このＰＣカード１０ｇでは、カードスロット２１に挿入すれば弾性部材１７による柔軟性を得ることができる。
【００４１】
つまり、このＰＣカード１０ｇは、補助連結部材１８が一対の連結材１８ａと内蔵バネ１８ｂとからなるので、挿入部１１をカードスロット２１から抜去すると、各連結材１８ａが挿入部１１と突出部１２とを連結し、その一方で挿入部１１をカードスロット２１内に挿入すると、各連結材１８ａが挿入部１１と突出部１２との連結を解除するようになっている。
【００４２】
したがって、このＰＣカード１０ｇでは、カードスロット２１に挿入した状態で、突出部１２にカード厚方向（図中Ａ方向）やカード幅方向（図中Ｄ方向）の衝撃や負荷等が加わっても、これを弾性部材１７によって吸収することができるようになる。
【００４３】
また、ＰＣカード１０ｇのカードスロット２１からの取り出しは、通常、情報機器２０に設けられたイジェクトボタン２２の押下によって行うが、その際に、ＰＣカード１０ｇがカードスロット２１から一定量飛び出ると、内蔵バネ１８ｂの付勢によって、プッシュボタン１８ｄがＰＣカード１０ｇの側部外面から突出するとともに、先端ストッパー１８ｃが突出部１２内のリブ１２ａと係合する。よって、挿入部１１と突出部１２とは、連結材１８ａによって連結されることとなり、上下左右方向、すなわちカード厚方向とカード幅方向とに対する剛性を得るようになる。
【００４４】
このように、このＰＣカード１０ｇでは、挿入部１１と突出部１２とを連結するか否かを、カードスロット２１への挿入状態に合わせて自動的に切り替えるようになっている。したがって、挿入部１１と突出部１２との連結状態の切り替えを的確に行うことができるようになり、ＰＣカード１０ｇ本体や弾性部材１７の破損等を確実に防ぐことができるようになる。また、切り替えを自動的に行うので、カードスロット２１への挿入を行う操作者にとっては便利なものとなる。
【００４５】
【発明の効果】
以上に説明したように、本発明のＰＣカードは、電子基板を挿入部と突出部との間を境に分割し、分割した電子基板の間をフレシキブルに接続しているので、挿入部と突出部との間に応力集中が発生しても、電子基板に撓みが発生してしまうことがない。しかも、挿入部と突出部とが弾性部材によって連設されており、その上、挿入部をカードスロットに挿入していない状態では連結材が挿入部と突出部とを連結するが、挿入部をカードスロット内に挿入すると連結材が挿入部と突出部との連結を解除するようになっている。したがって、このＰＣカードでは、カードスロットに挿入した状態で突出部に衝撃や負荷等が加わっても、その衝撃や負荷等を弾性部材によって吸収することができ、各基板の搭載部品の半田付け部にクラック等が生じてしまうといったことがなく、このＰＣカードの機能が損なわれてしまうことを防ぐことができるようになる。
【図面の簡単な説明】
【図１】本発明に係るＰＣカードの第１の実施の形態の概略構成を示す斜視図である。
【図２】本発明に係るＰＣカードの第２の実施の形態の概略構成を示す斜視図である。
【図３】本発明に係るＰＣカードの第３の実施の形態の概略構成を示す斜視図である。
【図４】本発明に係るＰＣカードの第４の実施の形態の概略構成を示す斜視図である。
【図５】第４の実施の形態のＰＣカードにおいて挿入部と突出部とを分離した状態を示す説明図である。
【図６】第４の実施の形態のＰＣカードにおいてデータ通信を行う際の使用状態を示す説明図である。
【図７】本発明に係るＰＣカードの第５の実施の形態の概略構成を示す斜視図である。
【図８】本発明に係るＰＣカードの第６の実施の形態の概略構成を示す斜視図である。
【図９】第６の実施の形態のＰＣカードの応用例を示す説明図である。
【図１０】本発明に係るＰＣカードの第７の実施の形態の概略構成を示す図であり、（ａ）はその平面図、（ｂ）はその側面図である。
【図１１】第７の実施の形態のＰＣカードの外観斜視図である。
【図１２】従来のエクステンデッドタイプのＰＣカードの概略構成を示す斜視図である。
【図１３】従来のエクステンデッドタイプのＰＣカードをカードスロットへ挿入した状態を示す説明図である。
【符号の説明】
１０ａ〜１０ｇ  ＰＣカード
１１  挿入部
１２  突出部
１３ａ、１３ｂ  基板
１４  フラットケーブル
１５  ヒンジ部
１６ｃ  接続ケーブル
１７  弾性部材
１８  補助連結部材
１８ａ  連結材
１８ｂ  内蔵バネ
１８ｃ  先端ストッパー
１８ｄ  プッシュボタン
２１  カードスロット
【図１】
0003562688.tif 000002
【図２】
0003562688.tif 000003
【図３】
0003562688.tif 000004
【図４】
0003562688.tif 000005
【図５】
0003562688.tif 000006
【図６】
0003562688.tif 000007
【図７】
0003562688.tif 000008
【図８】
0003562688.tif 000009
【図９】
0003562688.tif 000010
【図１０】
0003562688.tif 000011
【図１１】
0003562688.tif 000012
【図１２】
0003562688.tif 000013
【図１３】
0003562688.tif 000014